(57)【要約】【課題】建築現場以外でも階段の組み立てを可能にし、この階段組み立てを未熟練者でも容易に行えるようにする。【解決手段】架台２の中段枠部２ａに複数の支持部材１０（１０Ａ，１０Ｂ）を配置している。架台２の幅の寸法は組み立てる階段の横幅に合わせてあり、架台２の長さは組み立てる階段の段数に合わせてある。架台２上には、一対の支持部材１０・１０である一対支持部が６個配置されている。各支持部材１０は、階段を構成する部材である踏み板及び蹴込み板をそれぞれ支持するためのものである。各支持部材１０Ａは位置は固定だが角度調節可能に設けられ、各支持部材１０Ｂは位置及び角度の両方が調整可能に構成されている。【選択図】図１
2011074741.tif 000002
【特許請求の範囲】
【請求項１】
階段を構成する部材である踏み板及び蹴込み板をそれぞれ支持する踏み板支持面及び蹴込み板支持面を有した支持部材を階段横幅に対応した間隔で一対有する一対支持部が階段ピッチに対応した間隔で架台上に複数配置されていることを特徴とする階段組み立て装置。
【請求項２】
請求項１に記載の階段組み立て装置において、複数の階段ピッチ及び／又は複数の階段角度に対応できるように、各支持部材は位置及び／又は姿勢が変更可能に設けられていることを特徴とする階段組み立て装置。
【請求項３】
請求項２に記載の階段組み立て装置において、各支持部材用の複数の架台側位置決め部が前記架台に形成されており、各支持部材には前記架台側位置決め部に対応した複数の部材側位置決め部が形成されており、前記架台側位置決め部と前記部材側位置決め部との対応する箇所同士の位置合わせによって階段ピッチが決定されることを特徴とする階段組み立て装置。
【請求項４】
請求項３に記載の階段組み立て装置において、各支持部材は階段ピッチ調整方向に水平スライド可能であり、上下方向には移動規制されていることを特徴とする階段組み立て装置。
【請求項５】
請求項２に記載の階段組み立て装置において、各支持部材は、前記踏み板支持面及び蹴込み板支持面が形成されている支持部位と、前記架台に連結される架台連結部位と、から成り、前記架台連結部位に前記支持部位が回動可能に連結されており、この回動の角度選択によって階段角度が設定されることを特徴とする階段組み立て装置。
【請求項６】
請求項５に記載の階段組み立て装置において、前記架台連結部位と前記支持部位のそれぞれに角度調節用の複数の位置決め部が形成されており、前記複数の位置決め部における対応する箇所同士を位置合わせすることによって階段角度が設定されることを特徴とする階段組み立て装置。
【請求項７】
請求項１〜請求項６のいずれか１項に記載の階段組み立て装置において、前記架台上であって、前記支持部材に支持された踏み板及び蹴込み板の両方に接するように配置した階段側板の非段側の付近となる箇所に、当該階段側板を前記踏み板及び蹴込み板側に押し当てるための押圧具を設けたことを特徴とする階段組み立て装置。
【発明の詳細な説明】
【技術分野】
【０００１】
この発明は、家屋の階段を組み立てるための階段組み立て装置に関する。
【背景技術】
【０００２】
プレハブ住宅を建てる場合、壁、屋根、床などの建物要素が工場で予め作製され、建築現場においてこれら建物要素を組み付けてく作業が行われる。階段についても同様であり、踏み板、蹴込み板、側板等が工場で予め作製され、現場においてこれら階段要素を組み付けていく作業が行われている（特許文献１参照）。
【先行技術文献】
【特許文献】
【０００３】
【特許文献１】特開平１１−１９０１１４号公報
【発明の開示】
【発明が解決しようとする課題】
【０００４】
しかしながら、建築現場での建物要素の組み付け作業についてはこれを極力少なくして工期を短くすることが求められている。また、未熟練者でも容易に階段を組み立てること可能にしたいとの要望もある。
【０００５】
この発明は、建築現場以外でも階段の組み立てを可能にし、この階段組み立てを未熟練者でも容易に行えるようにすることを課題とする。
【課題を解決するための手段】
【０００６】
この発明の階段組み立て装置は、上記の課題を解決するために、階段を構成する部材である踏み板及び蹴込み板をそれぞれ支持する踏み板支持面及び蹴込み板支持面を有した支持部材を階段横幅に対応した間隔で一対有する一対支持部が階段ピッチに対応した間隔で架台上に複数配置されていることを特徴とする。
【０００７】
上記の構成であれば、階段を構成する部材である踏み板を、支持部材の踏み板支持面に配置し、階段を構成する部材である蹴込み板を、支持部材の蹴込み板支持面に配置し、例えば接着剤でこれら部材を接着してくことで、階段が組み立てられていくことになる。
【０００８】
上記構成において、複数の階段ピッチ及び／又は複数の階段角度に対応できるように、各支持部材は位置及び／又は姿勢が変更可能に設けられているのが好ましい。これによれば、１台の階段組み立て装置で複数タイプの階段を組み立てることが可能となる。
【０００９】
上記の複数タイプに対応できる階段組み立て装置において、各支持部材用の複数の架台側位置決め部が前記架台に形成されており、各支持部材には前記架台側位置決め部に対応した複数の部材側位置決め部が形成されており、前記架台側位置決め部と前記部材側位置決め部との対応する箇所同士の位置合わせによって階段ピッチが決定されるようになっていてもよい。そして、かかる構成において、各支持部材は階段ピッチ調整方向に水平スライド可能であり、上下方向には移動規制されることとしてもよい。
【００１０】
上記の複数タイプに対応できる階段組み立て装置において、各支持部材は、前記踏み板支持面及び蹴込み板支持面が形成されている支持部位と、前記架台に連結される架台連結部位と、から成り、前記架台連結部位に前記支持部位が回動可能に連結されており、この回動の角度選択によって階段角度が設定されることとしてもよい。かかる構成において、前記架台連結部位と前記支持部位のそれぞれに角度調節用の複数の位置決め部が形成されており、前記複数の位置決め部における対応する箇所同士を位置合わせすることによって階段角度が設定されることとしてもよい。
【００１１】
また、これらの構成において、前記架台上であって、前記支持部材に支持された踏み板及び蹴込み板の両方に接するように配置した階段側板の非段側の付近となる箇所に、当該階段側板を前記踏み板及び蹴込み板側に押し当てるための押圧具を設けてもよい。
【発明の効果】
【００１２】
本発明であれば、階段を構成する部材を、支持部材の踏み板支持面及び蹴込み板支持面に配置してこれら部材を固定してくことで、階段が組み立てられていくことになり、組み立て作業時間の短縮が図れる。また、この階段組み立ては建築現場以外でも行えることになる。そして、この階段組み立てを未熟練者でも容易に行えるようになる。また、複数タイプに対応できる階段組み立て装置であれば、階段のタイプごとに階段組み立て装置を用意する必要がなくなり、工場内での階段組み立て装置の保管スペースを小さくしたり、仮に現場に階段組み立て装置を運ぶ必要があっても、1台の階段組み立て装置の搬送で済ますことなどが可能になる。
【図面の簡単な説明】
【００１３】
【図１】本発明の一実施形態に係る階段組み立て装置を示した斜視図である。
【図２】図１の階段組み立て装置における支持部材を示した斜視図である。
【図３】図２支持部材を分解して一部を示した斜視図である。
【図４】図２の支持部材を示した簡略断面図である。
【図５】図１の階段組み立て装置における押圧具を示した斜視図である。
【図６】図１の階段組み立て装置によって組み立てられる階段の例を示した斜視図である。
【図７】図１の階段組み立て装置による階段組み立ての様子を示した図であって、同図（ａ）と同図（ｂ）とにおいては階段ピッチ及び階段角度を異ならせている。
【図８】図１の階段組み立て装置における架台を示した平面図である。
【図９】図１の階段組み立て装置における支持部材の架台連結部位と支持部材とに形成された位置決め孔の関係を示した説明図である。
【発明を実施するための最良の形態】
【００１４】
次に、この発明の実施形態に係る階段組み立て装置を添付図面に基づいて具体的に説明する。なお、本発明に係る階段組み立て装置は、下記の実施形態に示したものに限定されず、その要旨を変更しない範囲において適宜変更して実施できるものである。
【００１５】
図１に示すように、階段組み立て装置１の架台２は略直方体状のフレーム構造を有しており、この架台２の中段枠部２ａに複数の支持部材１０を配置している。前記架台２の幅の寸法は組み立てる階段の横幅に合わせてあり、架台２の長さは組み立てる階段の最大の段数に合わせてある。前記架台２の幅方向（階段の横幅の方向）に対面して配置された一対の支持部材１０・１０である一対支持部は６個配置されている。すなわち、この階段組み立て装置１は最大で６段の階段を作製できるように構成されている。また、架台２の上段部２ｂには左右３つずつで合計で６つの押圧具２０が設けられている。
【００１６】
複数在る一対支持部のうち、基準となる一対支持部における支持部材１０（この支持部材１０については１０Ａと表記する）は、中段枠部２ａに固定して取り付けられるのに対し、他の５つの一対支持部における支持部材１０（この支持部材１０については１０Ｂと表記する）は、中段枠部２ａに対して水平スライド（ピッチ変更）可能に設けられる。より詳しくは、中段枠部２ａ上に、ＬＭガイド（直線運動案内体）のレール３１が設置してあり、このレール３１によって案内される各移動体３２の上面に各支持部材１０Ｂが固定されている。そして、前記支持部材１０Ｂ同士の間隔（ピッチ）の設定を容易にするために、前記中段枠部２ａには各支持部材１０Ｂに対応させたピッチ用位置決め孔２ｃが形成されている。各ピッチ用位置決め孔２ｃは複数の孔又は一つの孔から成る。なお、ピッチ用位置決め孔２ｃの各孔には、ブッシュが圧入されている。
【００１７】
図２は支持部材１０Ｂを示した斜視図である。この支持部材１０Ｂは架台連結部位１１と、支持部位１２と、回動規制部材１３とから成る。また、図３には、前記架台連結部位１１及び支持部位１２における本体部分を示している。
【００１８】
架台連結部位１１は、取付板部１１１と立ち上がり部１１２と有した断面略Ｔ字状の金属製の部材である。前記取付板部１１１には階段ピッチ調節方向に並んだ４つのピッチ調節孔１１１ａが形成されている。各ピッチ調節孔１１１ａにはブッシュ１１３が圧入されている。このブッシュ１１３に図１に示している位置決めピン４１を挿入することができる。また、架台連結部位１１の立ち上がり部１１２には、図３に示すように回動支持用の有底穴１１２ａが形成されている。この有底穴１１２ａの中央にはボルト挿入穴１１２ｃが形成されている。
【００１９】
更に、前記立ち上がり部１１２には、角度調節位置決め孔１１２ｂが４カ所形成されている。そして、この図３に示す立ち上がり部１１２の裏面側から、前記角度調節位置決め孔１１２ｂに、図１に示しているブッシュ１１４が圧入される。そして、このブッシュ１１４に図１に示している位置決めピン４２を挿入することができる。
【００２０】
更に、前記立ち上がり部１１２の側面箇所には、ねじ穴１１２ｄが２カ所形成されている。これらのねじ穴１１２ｄを用い、図２に示しているように回動規制部材１３を取り付けることができる。回動規制部材１３に形成されている貫通ねじ穴１３ａに図示しないボルトをねじ込んで回すことにより、このボルトの先端を支持部位１２の側面箇所に当てることができる。
【００２１】
なお、支持部材１０Ａと支持部材１０Ｂとは、その取付板部１１１の形状が異なる。すなわち、支持部材１０Ｂはピッチ調節されるので取付板部１１１はレール３１に取り付けられ且つピッチ調節孔１１１ａが形成されるのに対し、支持部材１０Ａは基準となる位置において架台２に固定されるのでレール３１に取り付けられる必要もなく、ピッチ調節孔１１１ａも必要としない構成となる。ただし、階段角度調節のための調節構造については両者共に備える構成となる。
【００２２】
図２に示しているように、支持部位１２は、階段を構成する部材である踏み板と蹴込み板をそれぞれ支持する踏み板支持面部１２１と蹴込み板支持面部１２２と略Ｙ字形状を有する本体部１２０とから成る。本体部１２０は金属製であり、踏み板支持面部１２１及び蹴込み板支持面部１２２は樹脂製である。蹴込み板支持面部１２２には踏み板の縁部を収容するための凹部１２２ａが形成されている。そして、これら踏み板支持面部１２１及び蹴込み板支持面部１２２は、本体部１２０にねじ止めにより固定される。また、踏み板支持面部１２１の支持面と蹴込み板支持面部１２２の支持面とのなす角度は９０°となるようにしている。
【００２３】
図３に示しているように、本体部１２０の略中央部には、回動軸受け用の孔１２０ａが形成されている。また、この回動軸受け用の孔１２０ａの下方位置には、角度調節位置決め孔１２０ｂが形成されており、この角度調節位置決め孔１２０ｂを境に図の左側には二つの角度調節位置決め孔１２０ｃ・１２０ｄが形成され、図の右側にも二つの角度調節位置決め孔１２０ｅ・１２０ｆが形成されている。
【００２４】
図２に示した支持部材１０Ｂの支持部位１２においては、前記５つの角度調節位置決め孔のうち４つの角度調節位置決め孔１２０ｂ，１２０ｃ，１２０ｄ，１２０ｆにブッシュ１２３が圧入されている。ただし、このような図２に示される支持部材１０Ｂと一対支持部を成す別の支持部材１０Ｂは、前記５つの角度調節位置決め孔のうち４つの角度調節位置決め孔１２０ｂ，１２０ｄ，１２０ｅ，１２０ｆにブッシュ１２３が圧入される。すなわち、一対支持部をなす二つの支持部材１０・１０においてブッシュ１２３の圧入位置は左右相称をなすことになる。なお、取付板部１１１についても、一対支持部を成す二つの支持部材１０・１０において左右相称をなす。
【００２５】
図４に支持部材１０の概略の断面図を示す。立ち上がり部１１２に形成されている回動軸受け用の有底穴１１２ａには、軸受け部材１４の鍔部１４ａが嵌入されている。軸受け部材１４の中心にはねじ穴１４ｂが形成されている。ボルト挿入穴１１２ｃを通してボルト１５が前記ねじ穴１４ｂに螺合されることによって立ち上がり部１１２に軸受け部材１４が固定される。
【００２６】
そして、支持部位１２における回動軸受け用の孔１２０ａには、ブッシュ１６が圧入され、ブッシュ１６と支持部位１２とは一体構造となる。前記ブッシュ１６内に前記軸受け部材１４が嵌合され、支持部位１２は軸受け部材１４を中心にして回動する。そして、支持部位１２が軸受け部材１４から離脱するの防止するために、軸受け部材１４の端面に、前記ブッシュ１６の直径と略同じ直径を有する軸止め板１７を配置している。この軸止め板１７の中心には貫通孔が形成されており、この貫通孔を通してボルト１８を軸受け部材１４のねじ穴１４ｂに螺合させることで、軸止め板１７は軸受け部材１４に固定され、この固定された軸止め板１７が前記支持部位１２の軸方向移動を規制する。
【００２７】
図５に押圧具２０を拡大して示す。この押圧具２０におけるベース２１は架台２の上段部２ｂに図示しない４本のボルトによって固定される。前記ベース２１には円柱体２１ａが設けられており、この円柱体２１ａの中心部に垂直軸部２１ｂが立設されている。
【００２８】
押圧具２０のレバー部２２の一端側に形成された軸受け穴に前記垂直軸部２１ｂが嵌合されている。そして、レバー部２２の他端側に形成されたねじ穴に押さえねじ２３が螺合されている。また、レバー部２２の中央部の貫通穴にはローラフォロアピン２２ａが挿入固定され、このローラフォロアピン２２ａの下端にローラフォロア２２ｂが設けられる。このローラフォロア２２ｂの周面は前記円柱体２１ａの周面に接しており、レバー部２２の回動の円滑化や強度向上が図られている。
【００２９】
押圧具２０の前記押さえねじ２３の下端部には階段における側板を押さえる側板押さえ部２３ａが設けられている。また、押さえねじ２３の上端にはハンドル２３ｂが設けられている。
【００３０】
図６に組み立てる階段５０を示す。この階段５０は、４段構成であり、踏み板５１と蹴込み板５２と側板５３と桟５４とから成る。桟５４は踏み板５１と蹴込み板５２との連結箇所を補強すべく配置される。
【００３１】
図７に簡略化した階段組み立て装置１及びこの装置１上によって組み立てられる階段５０を示している。支持部位１２上に踏み板５１及び蹴込み板５２を配置し、両者を接着剤で固定する。また、桟５４を配置してこれを踏み板５１及び蹴込み板５２に接着剤で固定する。その後に、側板５３を配置し、押圧具２０のハンドル２３ｂを回して押さえねじ２３の下端の側板押さえ部２３ａにて側板５３を下方に押圧する。
【００３２】
この図７において、同図の（ａ）はタイプＡの階段５０（５０Ａ）を組み立てる場合を示しており、同図の（ｂ）は、タイプＢの階段５０（５０Ｂ）を組み立てる場合を示している。タイプＡの階段５０ＡとタイプＢの階段５０Ｂとは、階段ピッチと階段角度とが異なっている。そして、この図７から分かるように、階段ピッチは架台連結部位１１を架台２に連結するときの位置を選択することで変えることができる。また、階段角度は、架台連結部位１１に対する支持部位１２の回動角度を選択することで変えることができる。
【００３３】
この実施形態の階段組み立て装置１は、タイプＡ，タイプＢ，タイプＣ，及びタイプＤの４タイプの階段を作製可能としている。そして、図８に示すように、架台２の中段枠部２ａには、各ピッチ用位置決め孔２ｃにおいて各タイプに対応したローマ字Ａ，Ｂ，Ｃ，Ｄを「ＢＣＡＤ」の順で表記している。すなわち、各ピッチ用位置決め孔２ｃのうち、前記の基準となる一対支持部における支持部材１０Ａ（図８には表示しておらず図１参照）に最も近い側の孔には「Ｂ」を、次に近い孔には「Ｃ」を、その次に近い孔には「Ａ」を、最も遠い側の孔には「Ｄ」の文字を表記している。同様に、図２に示したように、支持部材１０Ｂの架台連結部位１１に設けたブッシュ１１３の近傍箇所に、各タイプに対応するローマ字Ａ，Ｂ，Ｃ，Ｄを「ＢＣＡＤ」の順で表記している。
【００３４】
これにより、組み立て作業者は、例えば、タイプＡ階段の組み立て要請を受けたとき、各支持部材１０Ｂの架台連結部位１１に設けたブッシュ１１３の近傍箇所のローマ字Ａと、架台２における各ピッチ用位置決め孔２ｃのローマ字Ａの位置とを一致させて、ローマ字Ａの箇所のブッシュ１１３にピン４１を差し込むことにより、タイプＡに合った階段ピッチで支持部材１０Ｂを配列させることができる。なお、この実施形態では、４段階段までは、タイプＡ，Ｂ，Ｃ，Ｄを選択できるが、５段階段についてタイプＢ，Ｃ，Ｄを選択でき、６段階段についてはタイプＣのみ選択できるようにしているため、ピッチ用位置決め孔２ｃにおいて「Ｃ」だけの箇所及び「Ｂ，Ｃ，Ｄ」の箇所が存在している。
【００３５】
また、階段角度調節についても同様に４タイプ有り（階段ピッチがタイプＡなら階段角度もタイプＡとしている）、図９に示すように、架台連結部位１１（図では実線で示している）の立ち上がり部１１２の４カ所の角度調節位置決め孔１１２ｂの近傍にタイプＡ，Ｂ，Ｃ，Ｄを表すローマ字Ａ，Ｂ，Ｃ，Ｄを表記している。架台連結部位１１における４つの角度調節位置決め孔１１２ｂには、支持部位１２における４つの角度調節位置決め孔１２０ｂ，１２０ｃ，１２０ｄ，１２０ｆが対応している。そして、この図９から分かるように、これら架台連結部位１１における４つの角度調節位置決め孔１１２ｂと、支持部位１２における４つの角度調節位置決め孔１２０ｂ，１２０ｃ，１２０ｄ，１２０ｆとにおける対応する孔同士は、回動中心となるボルト挿入穴１１２ｃを中心とする円弧上で所定量ずれて形成されているため、対応する孔同士を合わせてピン４２を挿入することにより、いずれかのタイプの階段角度が設定されることになる。
【００３６】
なお、階段のタイプ選択を頻繁には行わないような場合は、該当のタイプとなるように支持部位１２を回動させて角度調節位置決め孔にピンを挿入した後、回動規制部材１３に形成されている貫通ねじ穴１３ａにボルトをねじ込んで回し、これらのボルトの先端を支持部位１２の側面箇所に両側から当てると、支持部位１２の回動状態を保持することができる。
【００３７】
以上説明した実施形態では、各支持部材１０Ｂの架台連結部位１１に設けたブッシュ１１３と、架台２における各ピッチ用位置決め孔２ｃの対応箇所を一致させて、ブッシュ１１３にピン４１を差し込むことにより、各タイプに合った階段ピッチで支持部材１０Ｂを配列させたが、これに限るものではない。
【００３８】
例えば、レール３１によって案内される各移動体３２に取り付けられた取付板部１１１にねじ穴を形成し、このねじ穴にボルトを螺合させてねじ込むと、ボルト先端が架台２に当たって取付板部１１１が架台２から離れようとする力が生じるが、取付板部１１１が移動体３２に取り付けられているので、上記ボルトのねじ込みによって取付板部１１１の移動規制がなされることになり、取付板部１１１を架台２上に固定できることになる。従って、例えば階段ピッチにそれぞれ合わせたピッチ出しブロックを用意しておき、このピッチ出しブロックを既に固定した取付板部１１１の側面に当てて次の支持部材１０Ｂにおける取付板部１１１を順次に固定していくことでも各タイプに合った階段ピッチで支持部材１０Ｂを配列させることができる。ただし、このような構成の場合、前記ボルトをねじ込んで取付板部１１１を固定するときに、この取付板部１１１の位置にずれが生じる可能性がある。このため、先述したピッチ用位置決め孔を用いる構成の方が望ましいといえる。
【００３９】
また、以上の説明では、複数の階段ピッチ及び／又は複数の階段角度に対応できるように、各支持部材１０Ｂを位置及び／又は姿勢が変更可能であるようにしたが、これに限るものではない。
【００４０】
すなわち、１つのタイプだけに使われる装置として、各支持部材において位置及び姿勢が固定である階段組み立て装置も本願発明に含む。このような装置は、例えば、架台連結部位１１と支持部位１２とが固定され且つ架台連結部位１１が架台２に固定される構造を有する。このような１タイプ階段組み立て装置であっても、階段組み立ての作業効率は向上し、未熟練者でも容易に階段を組み立てることができる。また、例えば、Ａタイプの単一タイプ階段組み立て装置、Ｂタイプの単一タイプ階段組み立て装置のように、複数用意しておけば、複数のタイプに対応することもできる。
【００４１】
また、以上の説明では、階段の横幅が固定である階段組み立て装置を示したが、これに限るものではない。複数の階段横幅に対応する構成として各支持部材１０を階段横幅方向に個別に可動に設けることも考えられるが、レール３１ごと当該レール３１を支持する部材をスライドさせて複数の支持部材１０を一挙にスライドさせることも考えられる。また、押圧具２０についてはレバー部２２の長さを長くすることで、階段横幅の変更に対応することが可能となる。また、架台２の幅自体を、組み立てる階段５０の横幅に一致させる必要はなく、組み立てる階段５０の側板５３への当たり部となる突起部材を架台２における左右の上段部２ｂの内側の面にそれぞれ複数個配置してそれらの先端同士の間隔を階段横幅に一致させればよい。従って、階段横幅の変更に際しては、その横幅に対応する突出長さを有した突起部材と交換すればよいことになる。なお、この突起部材として、ボール部材を可動に支持してなるフリーベア（ボールベア）と呼ばれる部材を用いるとともに前記突出長さを調整するようにフリーベア（ボールベア）の底面にスペーサ部材を貼り付けることとしてもよい。
【符号の説明】
【００４２】
１      階段組み立て装置
２      架台
２ｃ    ピッチ用位置決め孔
１０    支持部材
１０Ａ  支持部材（固定）
１０Ｂ  支持部材（可動）
１１    架台連結部位
１１１  取付板部
１１１ａピッチ調節孔
１１２  立ち上がり部
１１２ｂ角度調節位置決め孔
１２    支持部位
１２０  本体部
１２０ｂ，１２０ｃ，１２０ｄ，１２０ｅ，１２０ｆ角度調節位置決め孔
１２１  踏み板支持面部
１２２  蹴込み板支持面部
２０    押圧具
【図１】
2011074741.tif 000003
【図２】
2011074741.tif 000004
【図３】
2011074741.tif 000005
【図４】
2011074741.tif 000006
【図５】
2011074741.tif 000007
【図６】
2011074741.tif 000008
【図７】
2011074741.tif 000009
【図８】
2011074741.tif 000010
【図９】
2011074741.tif 000011